(57)【要約】【課題】機器の故障が発生しても、利便性を考慮し且つ安全性を確保する。【解決手段】操作装置１０は、システム管理者等によって設定手段１６が設定されると、その設定状態を示す故障判断情報を故障判断情報送信手段１１ａによって遮断弁ユニット２０に送信する。遮断弁ユニット２０は操作装置１０からの電力の供給によって動作し、通信手段２３を介して受信した弁閉要求信号に基づいて、駆動制御手段２１ａが駆動手段２７を制御して遮断弁２６を弁閉する。故障判断情報取得手段２１ａ２によって操作装置１０から予め定められた任意のタイミングで取得した故障判断情報を故障判断情報記憶手段２２に記憶する。故障発生検出手段２１ａ３によって前記故障判断情報に対応する故障発生を検出すると、故障発生検出手段２１ａ３によって検出した故障に対応する前記故障判断情報が示す遮断動作又は復帰動作の少なくとも一方に応じて駆動手段２７が制御される。【選択図】図１
2009287836.tif 000002
【特許請求の範囲】
【請求項１】
遮断弁ユニットと、前記遮断弁ユニットに電力を供給し且つ弁開閉要求信号を前記遮断弁ユニットに送信する操作装置と、を有する遮断システムにおいて、
前記遮断弁ユニットが、遮断弁と、操作装置と電気的に接続され且つ前記操作装置からの電力によって前記遮断弁を駆動する駆動手段と、前記操作装置との間で通信を行う通信手段と、前記通信手段を介して受信した弁開閉要求信号に基づいて前記駆動手段を制御して前記遮断弁を弁開閉する駆動制御手段と、前記操作装置又は前記遮断弁ユニットの少なくとも一方における故障発生時に、前記遮断弁の遮断動作又は復帰動作の少なくとも一方を判断するための故障判断情報を、前記操作装置から前記通信手段を介して取得する故障判断情報取得手段と、前記故障判断情報取得手段が取得した故障判断情報を記憶する故障判断情報記憶手段と、前記故障判断情報記憶手段が記憶している故障判断情報に対応した故障の発生を検出する故障発生検出手段と、を有し、
前記操作装置が、前記故障判断情報を設定するための設定手段と、前記遮断弁ユニットとの間で通信を行う装置側通信手段と、前記装置側通信手段を介して予め定められたタイミングで前記設定手段によって設定された前記故障判断情報を前記遮断弁ユニットに送信する故障判断情報送信手段と、を有し、
前記駆動制御手段が、前記故障発生検出手段によって検出した故障に対応する前記故障判断情報が示す動作に応じて前記駆動手段を制御して前記遮断弁を駆動させる手段であることを特徴とする遮断システム。
【請求項２】
前記故障判断情報が、前記遮断弁の復帰が可能か否かを示すデータを有し、
前記遮断弁ユニットの駆動制御手段が、前記故障発生検出手段による故障発生の検出に応じて前記駆動手段を制御して前記遮断弁を弁閉した後、前記故障判断情報が復帰可能を示しているときは当該遮断弁を弁開させ、また、前記故障判断情報が復帰不可能を示しているときは当該遮断弁の弁開を禁止する手段であることを特徴とする請求項１に記載の遮断システム。
【発明の詳細な説明】
【技術分野】
【０００１】
本発明は、電気的に接続された操作装置からの電力の供給で動作すると共に、操作装置からの遮断要求信号の受信に応じて遮断弁を弁閉する遮断弁ユニットを有する遮断システムに関するものである。
【背景技術】
【０００２】
特許文献１等に示すガス遮断弁制御装置は、ガスを供給する供給路に設けられたガス遮断弁の弁開／弁閉を操作する操作手段を有し、利用者、作業者等による操作手段の遮断操作に応じてガス遮断弁を遮断するものである。そして、このようなガス遮断弁制御装置は、例えばガス使用開始時に弁閉操作して弁閉状態にあるガス遮断弁の下流側の配管等におけるガス漏れを検査する機能を有している。
【特許文献１】特開平２−１１６３８６号公報
【発明の開示】
【発明が解決しようとする課題】
【０００３】
また、上記操作手段は、屋内等に設けられ、ガス遮断弁制御装置の他にも各種警報器が接続されている。そして、上記操作手段は、警報器の故障やガス遮断弁制御装置との間の断線時等にその故障内容を表示する機能を有している。しかしながら、その操作手段は動作制限がされていないため、例えば警報器が故障していても自由に遮断弁に対する弁開／弁閉の操作が可能であり、安全性を低下させる虞があった。特に、このガス供給設備が業務用に使用使用されている場合、警報器が故障している状態で操作手段を操作可能とすることは、利便性は犠牲にしていないが、安全性の点では完全ではない。また、ガス遮断弁制御装置と上記操作手段との間の信号線の断線等が生じている場合、上記操作手段からガス遮断弁制御装置の弁閉を操作することができないため、安全性を確保することが困難であるという問題も生じる。
【０００４】
よって本発明は、上述した問題点に鑑み、機器の故障が発生しても、利便性を考慮し且つ安全性を確保することができる遮断システムを提供することを課題としている。
【課題を解決するための手段】
【０００５】
上記課題を解決するため本発明によりなされた請求項１記載の遮断システムは、図１の基本構成図に示すように、遮断弁ユニット２０と、前記遮断弁ユニット２０に電力を供給し且つ弁開閉要求信号を前記遮断弁ユニット２０に送信する操作装置１０と、を有する遮断システム１において、前記遮断弁ユニット２０が、遮断弁２６と、操作装置１０と電気的に接続され且つ前記操作装置１０からの電力によって前記遮断弁２６を駆動する駆動手段２７と、前記操作装置１０との間で通信を行う通信手段２３と、前記通信手段２３を介して受信した弁開閉要求信号に基づいて前記駆動手段２７を制御して前記遮断弁２６を弁開閉する駆動制御手段２１ａ１と、前記操作装置１０又は前記遮断弁ユニット２０の少なくとも一方における故障発生時に、前記遮断弁の遮断動作又は復帰動作の少なくとも一方を判断するための故障判断情報を、前記操作装置１０から前記通信手段２３を介して取得する故障判断情報取得手段２１ａ２と、前記故障判断情報取得手段２１ａ２が取得した故障判断情報を記憶する故障判断情報記憶手段２２と、前記故障判断情報記憶手段２２が記憶している故障判断情報に対応した故障の発生を検出する故障発生検出手段２１ａ３と、を有し、前記操作装置１０が、前記故障判断情報を設定するための設定手段１６と、前記遮断弁ユニット２０との間で通信を行う装置側通信手段１３と、前記装置側通信手段１３を介して予め定められたタイミングで前記設定手段１６によって設定された前記故障判断情報を前記遮断弁ユニット２０に送信する故障判断情報送信手段１１ａと、を有し、前記駆動制御手段２１ａ１が、前記故障発生検出手段２１ａ３によって検出した故障に対応する前記故障判断情報が示す動作に応じて前記駆動手段２７を制御して前記遮断弁２６を駆動させる手段であることを特徴とする。
【０００６】
上記請求項１に記載した本発明の遮断弁システムによれば、操作装置１０は、システム管理者等によって設定手段１６が設定されると、その設定状態を示す故障判断情報を故障判断情報送信手段１１ａによって遮断弁ユニット２０に送信する。また、遮断弁ユニット２０は操作装置１０からの電力の供給によって動作し、通信手段２３を介して受信した弁閉要求信号に基づいて、駆動制御手段２１ａが駆動手段２７を制御して遮断弁２６を弁閉する。また、故障判断情報取得手段２１ａ２によって操作装置１０から予め定められた任意のタイミングで取得した故障判断情報を故障判断情報記憶手段２２に記憶する。そして、故障発生検出手段２１ａ３によって前記故障判断情報に対応した通信異常、操作装置１０側、ユニット側等の故障発生を検出すると、故障発生検出手段２１ａ３によって検出した故障に対応する前記故障判断情報が示す遮断動作又は復帰動作の少なくとも一方に応じて駆動手段２７が制御される。
【０００７】
請求項２記載の発明は、図１の基本構成図に示すように、請求項１に記載の遮断システムにおいて、前記故障判断情報が、前記遮断弁２６の復帰が可能か否かを示すデータを有し、前記遮断弁ユニット２０の駆動制御手段２１ａ１が、前記故障発生検出手段２１ａ３による故障発生の検出に応じて前記駆動手段２７を制御して前記遮断弁２６を弁閉した後、前記故障判断情報が復帰可能を示しているときは当該遮断弁２６を弁開させ、また、前記故障判断情報が復帰不可能を示しているときは当該遮断弁２６の弁開を禁止する手段であることを特徴とする。
【０００８】
上記請求項２に記載した本発明の遮断システムによれば、遮断弁ユニット２０の駆動制御手段２１ａ１は、故障発生検出手段２１ａ３による故障発生の検出に応じて駆動手段２７を制御して前記遮断弁２６を弁閉した後は、前記故障判断情報が復帰可能を示しているときは当該遮断弁２６を弁開させ、また、前記故障判断情報が復帰不可能を示しているときは当該遮断弁２６の弁開を禁止することができる。
【発明の効果】
【０００９】
以上説明したように請求項１に記載した本発明によれば、遮断弁ユニットが操作装置から取得した故障判断情報に対応した故障発生を検出すると、当該故障判断情報が示す動作となるように遮断弁を制御するようにしたことから、故障判断情報の構成によって故障発生時における遮断弁の遮断動作又は復帰動作の少なくとも一方を設定することができるため、遮断弁ユニットを操作装置によって操作できない状態となっても、遮断弁をより安全に制御することができる。また、操作装置によって故障判断情報を個別に設定することができるため、利用者の利用形態に適した条件で遮断弁を制御して安全を確保することができる。従って、機器の故障が発生しても、利便性を考慮し且つ安全性を確保することができる。
【００１０】
請求項２に記載した本発明によれば、故障発生の検出に応じて遮断弁を弁閉した後は故障判断情報で遮断弁の復帰動作を設定することができるため、利便性を考慮して確保した安全性を持続させることができる。
【発明を実施するための最良の形態】
【００１１】
以下、本発明に係る遮断弁ユニットを有する遮断システムをガス保安システムに適用する場合の一実施形態を、図１〜図３の図面を参照して以下に説明する。
【００１２】
図２において、ガス保安システム１は、宅内等に設けられる操作装置１０と、ガス供給路の配管５に組み込まれ且つ操作装置１０の制御等によって配管５を遮断する遮断弁ユニット２０と、を有して構成している。そして、操作装置１０は、外部電源２及び遮断弁ユニット２０と電気的に接続されており、当該外部電源２から供給される電力によって動作すると共に、その電力を遮断弁ユニット２０に供給している。
【００１３】
操作装置１０は、予め定められたプログラムに従って動作するマイクロプロセッサ（ＭＰＵ）１１を有している。ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。そして、ＲＯＭ１１ｂは、ＣＰＵ１１ａを図１に示す請求項中の故障判断情報送信手段１１ａ１として機能させるためのプログラムを記憶している。
【００１４】
操作装置１０はさらに、メモリ部１２と、通信部１３と、停電検出部１４、バックアップ電源１５、設定部１６、表示部１７と、操作部１８と、接続部１９と、を有しており、ＭＰＵ１１と電気的に接続されている。
【００１５】
メモリ部１２は、電力供給が断たれた場合でも、格納された各種データの保持が可能であり、ＣＰＵ１１ａの処理作業に必要な各種格納エリアを有する電気的消去／書き換え可能なメモリ（ＥＥＰＲＯＭ）等が用いられる。このメモリ部１２には、故障判断情報Ｄ１が記憶される。本実施形態では、故障判断情報Ｄ１が遮断弁２６を遮断するか否か、遮断した遮断弁２６が復帰可能か否か等の項目がＯＮ／ＯＦＦで設定された設定データを有する場合について説明するが、本発明がこれに限定するものではなく、予め定められた複数の故障内容の各々に対応した項目データを有するなど種々異なる実施形態とすることができる。
【００１６】
通信部１３は、図１に示す請求項中の装置側通信手段に相当し、電源線３と信号線４とを有するケーブルと電気的に接続されると共に、ＭＰＵ１１と電気的に接続されている。通信部１３は、電源線３を介して遮断弁ユニット２０に、外部電源２又はバックアップ電源１５からの電力を供給する。通信部１３は、信号線４を介してＭＰＵ１１から入力される各種電文を示す信号を遮断弁ユニット２０に送信すると共に、信号線４を介して遮断弁ユニット２０から受信した信号が示す電文をＭＰＵ１１に出力する。
【００１７】
停電検出部１４は、トランジスタ、フォトカプラ、リレー等が任意に用いられ、本実施形態では、トランジスタを用いた場合について説明する。そして、停電検出部１４は、ＭＰＵ１１の停電検出ポートが電気的に接続されており、ＭＰＵ１１が停電検出ポートの状態変化によって停電発生状況が判断できる構成となっている。
【００１８】
バックアップ電源１５は、大容量のコンデンサーや電池によって実現された直流電源となっている。バックアップ電源１５は、例えば１００秒などの停電時にＭＰＵ１１を動作させるのに必要な電力を考慮した容量となっている。ＭＰＵ１１は、そのバックアップ電力によって停電時に遮断弁ユニット２０に対して遮断要求信号を送信する。
【００１９】
設定部１６は、図１に示す請求項中の設定手段に相当し、操作装置１０又は遮断弁ユニット２０の少なくとも一方における遮断弁２６を弁閉すべき故障をシステム管理者等に設定させるためのディップスイッチを有している。設定部１６は、操作装置１０のケース本体で隠され且つシステム管理者等によってのみ操作が可能な構成となっている。設定部１６は、前記ディップスイッチが操作装置１０の設置時、ガス需要者からの設定変更が要求されたとき等にシステム管理者等によって設定され、ＭＰＵ１１によってディップスイッチの設定状態が検出される。なお、前記設定手段としては、ジャンパーの有無等で実現するなど種々異なる実施形態とすることができる。
【００２０】
表示部１７は、ＭＰＵ１１と電気的に接続されており、ＭＰＵ１１からの要求に応じて表示が可能な構成となっている。表示部１７は、図示しないが、警報器故障、停電検知、故障検知、検査中等の各々に対応したＬＥＤの点灯によって表示状態となり、ＬＥＤの消灯によって非表示状態となる。
【００２１】
操作部１８は、ＭＰＵ１１と電気的に接続されており、利用者、作業者等に各種データの入力、選択を行わせる、ための複数の操作スイッチと、弁開スイッチと、弁閉スイッチと、を有している。操作部１８は、それらの操作スイッチに対する操作に応じた操作信号をＭＰＵ１１に出力する。そして、操作部１８の弁開スイッチ又は弁閉スイッチが操作されると、ＭＰＵ１１は弁開要求信号又は弁閉要求信号を信号線４を介して遮断弁ユニット２０に送信する。
【００２２】
接続部１９は、公知である屋内等に設けられた警報器３０等の外部機器と各種信号の送受信が可能な接続端子などが用いられる。接続部１９は、ＭＰＵ１１と電気的に接続され、警報器３０から入力されるガス漏れ検知信号等の入力信号をＭＰＵ１１に出力する。
【００２３】
このように構成した操作装置１０のＣＰＵ１１ａは、外部電源２からの電力供給によって起動されると、所定のプログラムを実行することで、その電力の一部を通信部１３の電源線３を介して遮断弁ユニット２０に供給する。これにより、遮断弁ユニット２０は起動されて動作可能状態となる。
【００２４】
操作装置１０は、接続部１９に接続された警報器３０の故障や操作装置１０と遮断弁ユニット２０との間の断線時等にはその故障内容を表示部１７で表示する。また、操作装置１０は、遮断弁ユニット２０との間でシリアル通信を行い、遮断弁２６が弁開状態にあるときは、表示部１７の内蔵ブザーを鳴動させる。そして、前記ブザーは操作部１８のブザー停止スイッチの操作で停止可能で、故障が継続していると一定時間後に再鳴動する。さらに、遮断弁２６が弁閉状態にあるときは、安全が確保されているため、前記ブザーを鳴動させなくてもよい。
【００２５】
次に、上述した操作装置１０から供給される電力によって動作する遮断弁ユニット２０の概略構成の一例を、図２の図面を参照して以下に説明する。
【００２６】
遮断弁ユニット２０は、上述した操作装置１０から電源線３等を介して供給された電力によって駆動され、予め定められたプログラムに従って動作するマイクロプロセッサ（ＭＰＵ）２１と、メモリ部２２と、通信部２３と、停電検出回路２４と、バックアップ電源２５と、遮断弁２６と、駆動部２７と、圧力センサ２８と、を有して構成しており、それらは電気的に接続されている。
【００２７】
ＭＰＵ２１は、上述したように、ＣＰＵ２１ａとＲＯＭ２１ｂとＲＡＭ２１ｃとを有している。ＲＯＭ２１ｂは、ＣＰＵ２１ａを図１に示す請求項中の駆動制御手段２１ａ１、故障判断情報取得手段２１ａ２、及び、故障発生検出手段２１ａ３として機能させるための故障時制御処理プログラム等を記憶している。そして、ＣＰＵ２１ａが故障検出プログラムを実行することで、駆動制御手段２１ａ１、故障判断情報取得手段２１ａ２、及び、故障発生検出手段２１ａ３と機能することになる。
【００２８】
メモリ部２２は、操作装置１０から取得した故障判断情報Ｄ１等を記憶する記憶領域を有している。メモリ部２２は、後述する弁開禁止フラグ等の各種情報を記憶する。そして、弁開禁止フラグは、ＯＮ／ＯＦＦが設定され、ＯＮ状態では弁閉状態の遮断弁２６の弁開を禁止を意味し、また、ＯＦＦ状態では弁閉状態の遮断弁２７の弁開可能を意味している。
【００２９】
通信部２３は、上述した電源線３と信号線４と電気的に接続されると共に、ＭＰＵ２１と電気的に接続されている。通信部２３は、前記電源線３を介して操作装置１０から外部電源２又はバックアップ電源１５の電力が供給され、その電力をＭＰＵ２１に出力することで、ＭＰＵ２１が動作する構成となっている。通信部２３は、前記信号線４を介してＭＰＵ２１から入力される各種電文を示す信号を操作装置１０に送信すると共に、前記信号線４を介して操作装置１０から受信した信号が示す電文をＭＰＵ２１に出力する。
【００３０】
停電検出部２４は、トランジスタ、フォトカプラ、リレー等が任意に用いられる。そして、停電検出部２４は、上述した操作装置１０の停電検出部１４と同一の構成となっており、操作装置１０からの電力供給の停止を停電として検出している。
【００３１】
バックアップ電源２５は、大容量のコンデンサーや電池によって実現された直流電源となっている。バックアップ電源２５は、モータ駆動方式の遮断弁２６を遮断駆動させる（例えば３０秒など）電力、停電時に所定の時間にわたってＭＰＵ２１を動作させるのに必要な電力を考慮した十分な容量となっている。
【００３２】
遮断弁２６は、駆動部２７を介してＭＰＵ２１に電気的に接続されており、モータ駆動方式遮断弁、ソレノイド方式遮断弁等が任意に用いられる。本実施形態では、遮断弁２６としてモータ駆動方式遮断弁を用いる場合について説明する。そして、遮断弁２６は、ＭＰＵ２１によって弁閉されると、配管５におけるガスの供給を遮断し、また、弁開されると、配管５におけるガスの供給を可能とする。駆動部２７は、図１に示す請求項中の駆動手段２７に相当し、ＭＰＵ２１からの弁閉要求に応じて遮断弁２６に弁閉駆動信号を出力し、または、弁開要求に応じて遮断弁２６に弁開駆動信号を出力することで、遮断弁２６が駆動される。
【００３３】
また、遮断弁ユニット２０のＣＰＵ２１ａは、通信部２３を介して操作装置１０から弁閉要求信号を受信すると、上述したように駆動部２７を制御して遮断弁２６を弁閉し、また、弁開要求信号を受信すると、駆動部２８を制御して遮断弁２６を弁開する。このようにＣＰＵ２１ａは、図１に示す請求項中の駆動制御手段２１ａ１として機能している。
【００３４】
圧力センサ２８は、ＭＰＵ２１に電気的に接続されており、配管５内の気体の空気圧の変化を感圧素子にて圧力信号に変換する機械式又は電子式のものが任意に用いられる。圧力センサ２５は、遮断弁２６の下流側（ガス供給側）における配管５内の圧力を感知して圧力信号をＭＰＵ２１に出力する。
【００３５】
次に、メモリ部２２に記憶する故障判断情報Ｄ１が示す遮断弁２６を弁閉すべき故障の一例としては、操作装置１０に関する故障、遮断弁２６に関する故障、配線に関する不具合等の故障が挙げられる。より詳細には、遮断弁ユニット２０で操作装置１０からの遮断要求信号の受信ができない、警報器３０による警報ができない、停電検出部１４、２４で検出不能などの各種故障が挙げられる。このように故障判断情報Ｄ１は、機器の故障が発生しても、利便性を考慮し且つ安全性を確保するために予め任意に定められ且つ上記故障検出プログラムによって参照される。
【００３６】
次に、ＣＰＵ２１ａが実行する故障時制御処理プログラムの一例を、図３に示すフローチャートを参照して以下に説明する。なお、この故障時制御処理は、ＣＰＵ２１ａの起動後、所定間隔毎に実行されることを前提としている。
【００３７】
外部電源２からの電力供給により起動されたＣＰＵ２１ａによってＲＯＭ２１ｂの故障時制御処理プログラムが実行されると、ステップＳ１１において、通信部２３を介して故障判断情報Ｄ１を受信したか否かが判定される。故障判断情報Ｄ１を受信していないと判定された場合（Ｓ１１でＮ）、ステップＳ１３に進む。一方、故障判断情報Ｄ１を受信していると判定された場合（Ｓ１１でＹ）、ステップＳ１２において、受信した故障判断情報Ｄ１がメモリ部１２に記憶され、その後ステップ１３に進む。
【００３８】
ステップＳ１３において、故障時制御処理プログラムと同時に実行されている故障発生検出処理プログラムによって、操作装置１０からの受信情報に基づいて操作装置１０又は警報器３０で故障が発生しているか、通信部２３や圧力センサ２８へのセンシング、停電検出部２４の状態を確認等により、操作装置１０、遮断弁ユニット２０、警報器３０の中で故障発生を検出しているか否かが判定される。故障発生を検出していないと判定された場合（Ｓ１３でＮ）、その後処理を終了する。一方、故障発生を検出していると判定された場合（Ｓ１３でＹ）、ステップＳ１４に進む。
【００３９】
ステップＳ１４において、検出した故障が故障判断情報Ｄ１に対応した故障であるか否かが判定される。遮断対象の故障ではないと判定された場合（Ｓ１４でＮ）、その後処理を終了する。一方、ステップＳ１４で遮断対象の故障であると判定された場合（Ｓ１４でＹ）、ステップＳ１５において、通信部２３の電源線３を介して供給された電力が駆動部２７に供給されると共に、弁閉が要求されることで、駆動部２７によって遮断弁２６が弁閉位置まで駆動され、ステップＳ１６において、メモリ部２２の弁開禁止フラグにＯＮが設定され、その後ステップ１７に進む。
【００４０】
ステップＳ１７において、上述した故障発生検出処理プログラムによって故障が復旧したか否かが判定される。故障が復旧していないと判定された場合（Ｓ１７でＮ）、処理を終了する。一方、故障が復旧していると判定された場合（Ｓ１７でＹ）、ステップＳ１８において、メモリ部１２の弁開禁止フラグにＯＦＦが設定され、その後処理を終了する。
【００４１】
以上説明したように、図３に示す故障時制御処理において、ステップＳ１５が前記駆動制御手段２１ａ１、ステップＳ１１，１２が前記故障判断情報取得手段２１ａ２、ステップＳ１３が故障発生検出手段２１ａ３にそれぞれ相当している。
【００４２】
次に、上述した構成のガス保安システム１における操作装置１０及び遮断弁ユニット２０の本発明に係る動作（作用）の一例を以下に説明する。
【００４３】
操作装置１０はガス供給先の屋内等に設置されるときに、設定部１６によって遮断弁２６を弁閉すべき故障が設定され、該設定部１６はケース本体で隠された状態となる。そして、外部電源２からの電力供給によって起動される操作装置１０は、その電力を遮断弁ユニット２０に供給すると共に、操作装置１０内の故障や警報器３０の故障を監視し、故障の検出に応じて当該故障を示す故障信号を遮断弁ユニット２０に送信する。
【００４４】
遮断弁ユニット２０は、操作装置１０から故障判断情報Ｄ１を取得してメモリ部２２に記憶すると、当該故障判断情報Ｄ１が示す遮断弁２１を遮断すべき故障の発生を監視する。そして、遮断弁ユニット２０はその故障として操作装置１０との間で通信ができない等の異常を前記故障発生として検出すると、駆動部２７を制御して遮断弁２６を遮断させる。この場合、操作装置１０を操作しても遮断弁ユニット２０に弁閉要求信号を送信できないが、遮断弁ユニット２０はその故障発生を検出して遮断弁２６を遮断させるため、遮断弁ユニット２０の判断によって安全を確保できる。
【００４５】
また、遮断弁ユニット２０は、故障判断情報Ｄ１が示す故障発生を検出して遮断弁２６を弁閉させている状態で、操作部１８の弁開操作に応じて操作装置１０から弁開要求信号を受信しても、その弁開要求を無視するため、無闇に遮断弁２６が復旧されることを防止できる。よって、従来システムを上回る安全性を確保することができる。
【００４６】
また、利便性を重視する業務用のガス保安システム１の場合、設定部１６によって遮断弁２６を弁閉すべき故障の設定をＯＦＦとすることで、それに対応した故障判断情報Ｄ１が操作装置１０から遮断弁ユニット２０に送信される。そして、操作装置１０は通信部１３の通信異常を検出すると、故障検知を表示部１７で警報する。このとき、遮断弁ユニット２０は、故障判断情報Ｄ１の設定によって通信部２３の異常を検出しても、遮断弁２６を遮断しない。よって、利用者は操作装置１０による警報によって遮断システム１で通信異常が発生していることを認識できるため、業務に支障を来すことなく、機器修理を手配することができる。または、操作装置１０が警報情報をシステム管理会社等に直接通知するようにしてもよい。
【００４７】
以上説明したガス保安システム１によれば、遮断弁ユニット２０が操作装置１０から取得した故障判断情報に対応した故障発生を検出すると、当該故障判断情報が示す動作となるように遮断弁２６を制御するようにしたことから、故障判断情報の構成によって故障発生時における遮断弁２６の遮断動作又は復帰動作の少なくとも一方を設定することができるため、遮断弁ユニット２０を操作装置１０によって操作できない状態となっても、遮断弁２６をより安全に制御することができる。また、操作装置１０によって故障判断情報を個別に設定することができるため、利用者の利用形態に適した条件で遮断弁２６を制御して安全を確保することができる。従って、機器の故障が発生しても、利便性を考慮し且つ安全性を確保することができる。
【００４８】
また、遮断弁ユニット２０は故障発生の検出に応じて遮断弁２６を弁閉した後は故障判断情報で遮断弁の復帰動作を設定することができるため、利便性を考慮して確保した安全性を持続させることができる。
【００４９】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５０】
【図１】本発明の遮断システムの基本構成を示す構成図である。
【図２】本発明を適用したガス保安システムの概略構成を示すシステム構成図である。
【図３】図２中のＣＰＵが実行する本発明に係る故障時制御処理の一例を示すフローチャートである。
【符号の説明】
【００５１】
１    遮断システム（ガス保安システム）
１０    操作装置
１１ａ１    故障判断情報送信手段（操作装置のＣＰＵ）
１３    装置側通信手段
１６    設定手段
２０    遮断弁ユニット
２１ａ１    駆動制御手段（遮断弁ユニットのＣＰＵ）
２１ａ２    故障判断情報取得手段（遮断弁ユニットのＣＰＵ）
２１ａ３    故障発生検出手段（遮断弁ユニットのＣＰＵ）
２２    故障判断情報記憶手段
２３    通信手段
２６    遮断弁
２７    駆動手段
【図１】
2009287836.tif 000003
【図２】
2009287836.tif 000004
【図３】
2009287836.tif 000005